(57)【要約】【課題】本発明は、車載機器に関し、コストダウンを図ることを目的とするものである。【解決手段】そして、この目的を達成するために本発明は、表示部６と、この表示部６に接続された制御部７と、この制御部７に接続されたメモリ１２と、このメモリ１２の近傍に配置されるとともに、前記制御部７に接続された温度センサ１３と、前記表示部６、制御部７、メモリ１２、温度センサ１３に電源を供給する電源部１４とを備え、前記電源部１４は、電圧調整用のレギュレータ１８を有し、前記制御部７は、温度センサ１３で測定した温度が所定温度よりも低い場合には、前記レギュレータ１８への入力電圧を高める構成とした。【選択図】図２
2014191554.tif 000002
【特許請求の範囲】
【請求項１】
表示部と、この表示部に接続された制御部と、この制御部に接続されたメモリと、このメモリの近傍に配置されるとともに、前記制御部に接続された温度センサと、前記表示部、制御部、メモリ、温度センサに電源を供給する電源部とを備え、
前記電源部は、電圧調整用のレギュレータを有し、前記制御部は、温度センサで測定した温度が所定温度よりも低い場合には、前記レギュレータへの入力電圧を高める構成とした車載機器。
【請求項２】
レギュレータはメモリに接続した請求項１に記載の車載機器。
【発明の詳細な説明】
【技術分野】
【０００１】
本発明は、例えば、音楽再生などを行う車載機器に関するものである。
【背景技術】
【０００２】
従来より、この種の車載機器は、表示部と、この表示部に接続された制御部と、この制御部に接続されたメモリと、このメモリの近傍に配置されるとともに、前記制御部に接続された温度センサ及び、ヒーターと、前記表示部、制御部、メモリ、温度センサ、ヒーターに電源を供給する電源部とを備え、前記温度センサで、測定した温度が所定温度よりも低い場合には、前記ヒーターへの通電を行う構成となっていた（例えば、下記特許文献１）。
【先行技術文献】
【特許文献】
【０００３】
【特許文献１】特開昭６１−２３１８７４号公報
【発明の概要】
【発明が解決しようとする課題】
【０００４】
上記従来例における課題は、メモリの低温動作を安定させる為に、複数の抵抗よりなるヒータをメモリ近傍に配置しているので、その分だけコストアップとなってしまうということであった。
【０００５】
そこで本発明は、コストダウンを図ることを目的とするものである。
【課題を解決するための手段】
【０００６】
そしてこの目的を達成するために本発明は、表示部と、この表示部に接続された制御部と、この制御部に接続されたメモリと、このメモリの近傍に配置されると共に、前記制御部に接続された温度センサと、前記表示部、制御部、メモリ、温度センサに電源を供給する電源部とを備え、前記電源部は、電圧調整用のレギュレータを有し、前記制御部は、温度センサで測定した温度が所定温度よりも低い場合には、前記レギュレータへの入力電圧を高める構成とし、これにより所期の目的を達成するものである。
【発明の効果】
【０００７】
以上のように本発明は、表示部と、この表示部に接続された制御部と、この制御部に接続されたメモリと、このメモリの近傍に配置されると共に、前記制御部に接続された温度センサと、前記表示部、制御部、メモリ、温度センサに電源を供給する電源部とを備え、前記電源部は、電圧調整用のレギュレータを有し、前記制御部は、温度センサで測定した温度が所定温度よりも低い場合には、前記レギュレータへの入力電圧を高める構成としたので、コストダウンを図ることが可能となる。
【０００８】
即ち、本発明においては、メモリの動作を安定させる為の加熱をレギュレータによって行うので、このメモリを加熱する為の専用のヒーターを用いる必要がなく、その結果としてコストダウンを図ることが出来るのである。
【図面の簡単な説明】
【０００９】
【図１】本発明の一実施形態における車載機器を設置した自動車の車内を示す斜視図
【図２】同、制御ブロック図
【図３】同、制御ブロック図
【図４】同、電気回路図
【図５】同、動作フローチャート
【図６】同、動作を示す図
【発明を実施するための形態】
【００１０】
（実施の形態１）
以下、本発明の一実施形態について図面を参照しながら説明する。
【００１１】
図１において、自動車１は、その車内２の前方に運転席３を設けており、また、この運転席３の前方には、ハンドル４が設けられ、さらに、ハンドル４の側方には車載機器５が配置されている。
【００１２】
この車載機器５は、ナビゲーション機能や音楽再生機能や映像再生機能を有するもので、このような一般的な機能については周知となっているので、これ以上の説明は省略する。
【００１３】
さて、車載機器５は表示部６を有し、この表示部６は図２に示す如く制御部７に接続されている。また、制御部７にはナビゲーション機能を発揮させる為のＧＰＳアンテナ８がＧＰＳモジュール９を介して接続されている。さらに、制御部７には、各種操作を実行する為の操作部１０が接続されており、これは主に表示部６に表示されるタッチパネルによって構成される。また、制御部７には、動作プログラムが格納されたメモリ１１と、動作時における各種データを一時的に保管するメモリ１２が接続されている。この内、メモリ１２は、例えばＳＤＲＡＭ（Ｓｙｎｃｈｒｏｎｏｕｓ  ＤＲＡＭ）と言われる物を活用しており、これは動作が速い反面、低温時における動作が不安定になる場合がある。
【００１４】
そこで、本実施形態では、このメモリ１２の近傍に温度センサ１３を配置すると共に、この温度センサ１３も制御部７に接続した。また、図２における、電源部１４は、この図２に示された表示部６、制御部７、ＧＰＳアンテナ８、ＧＰＳモジュール９、操作部１０、メモリ１１、メモリ１２、温度センサ１３への電源を供給するものである。
【００１５】
図３は、電源部１４の一部分である表示部６、メモリ１２への電源供給部分について示している。例えば、自動車１のバッテリー電源が１２Ｖであった場合、スイッチング電源１５によるＤＣ−ＤＣ変換により、まずは、８．８Ｖに変換し、次にレギュレータ１６によって、それを６Ｖに変換した後に、表示部６に供給するようになっている。また、スイッチング電源１７では、ＤＣ−ＤＣ変換により、３．３Ｖを発生させ、これをレギュレータ１８によって、１．８Ｖに変換し、メモリ１２に供給するようになっている。レギュレータ１６、１８は、基本的には同じ構成であり、例えば、図４に示すような構成となっている。即ち、この図４に示すものは、スイッチング素子１９、スイッチング素子２０と定電圧素子２１を用いた物であって、定電圧素子２１の動作電圧を設定する事で、所定の電圧を出力するものとなっている。つまり、表示部６であれば、上述の如く、６Ｖを出力し、メモリ１２であれば、１．８Ｖを出力するようになっている。
【００１６】
以上の構成において、例えば、寒冷地において、車載機器５を動作させようとする時の温度が、図６の如く、−２０℃であった場合には、上記メモリ１２の動作が不安定となる虞があるので、本実施形態においては、メモリ１２の近傍に配置したレギュレータ１８の温度で、このメモリ１２を加熱する事とした（図５のＳ１とＳ２）。
【００１７】
具体的には、制御部７は温度センサ１３によって検出した温度が、図６に示すように、０℃以下の場合には、スイッチング電源１７の出力電圧を１０Ｖに設定する事とした（図５のＳ３とＳ４）。つまり、レギュレータ１８の入力電圧が通常時の３．３Ｖから１０Ｖ
に引き上げられるので、図４からも理解されるように定電圧素子２１を流れる電流が多くなり、この定電圧素子２１は、通常時（本実施形態では３．３Ｖ入力時）よりも、大きな発熱をすることとなる。その結果、このレギュレータ１８の発熱により、その近傍に配置したメモリ１２に温度が徐々に上昇（図５のＳ５〜Ｓ７）して行くこととなる。そして、温度センサ１３で検出した温度が、０℃よりも高くなると、制御部７は、スイッチング電源１７の出力を通常の３．３Ｖに降下させた後に、メモリ１２からのデータを読み出す事となる（図５のＳ８、Ｓ９）。従って、メモリ１２は低温によるデータ読み出しの不安定状態は発生せず、適切なデータの読み出しが行われるようになる。
【００１８】
なお、上記実施形態では、メモリ１２用のレギュレータ１８で、このメモリ１２を加熱する事としたが、例えば表示部６用の他のレギュレータ１６でメモリ１２を加熱する構成としても良い。
【産業上の利用可能性】
【００１９】
以上のように本発明は、表示部と、この表示部に接続された制御部と、この制御部に接続されたメモリと、このメモリの近傍に配置されるとともに、前記制御部に接続された温度センサと、前記表示部、制御部、メモリ、温度センサに電源を供給する電源部とを備え、前記電源部は、電圧調整用のレギュレータを有し、前記制御部は、温度センサで測定した温度が所定温度よりも低い場合には、前記レギュレータへの入力電圧を高める構成としたので、コストダウンを図ることができる。
【００２０】
即ち、本発明においては、メモリの動作を安定させる為の加熱をレギュレータによって行うので、このメモリを加熱する為の専用のヒーターを用いる必要がなく、その結果としてコストダウンを図ることが可能となるのである。
【００２１】
従って、自動車に搭載される車載機器としての活用が期待される。
【符号の説明】
【００２２】
１  自動車
２  車内
３  運転席
４  ハンドル
５  車載機器
６  表示部
７  制御部
８  ＧＰＳアンテナ
９  ＧＰＳモジュール
１０  操作部
１１  メモリ
１２  メモリ
１３  温度センサ
１４  電源部
１５  スイッチング電源
１６  レギュレータ
１７  スイッチング電源
１８  レギュレータ
１９  スイッチング素子
２０  スイッチング素子
２１  定電圧素子
【図１】
2014191554.tif 000003
【図２】
2014191554.tif 000004
【図３】
2014191554.tif 000005
【図４】
2014191554.tif 000006
【図５】
2014191554.tif 000007
【図６】
2014191554.tif 000008